(57)【特許請求の範囲】
【請求項１】
紫外線を放射する紫外線ランプと、紫外線透過性窓部材とを備えており、当該紫外線ランプからの紫外線が、当該紫外線透過性窓部材を介して、当該紫外線透過性窓部材と離間して対向配置された被処理物の被処理領域に照射される紫外線処理装置であって、
前記被処理物における前記被処理領域以外の処理禁止領域の形状に対応する形状を有する、前記紫外線ランプからの光を遮光する遮光部材が、当該処理禁止領域と対向し、かつ当該被処理物と離間するように設けられており、
前記遮光部材には、当該遮光部材と前記被処理物との間の間隙にパージガスを供給するパージガス供給口が設けられていることを特徴とする紫外線処理装置。
【請求項２】
前記遮光部材は、前記処理禁止領域の形状に対応する形状を有する主遮光板部と、当該主遮光板部の前記処理禁止領域に対向する面における外周縁位置において当該主遮光板部の外周縁の全周にわたって伸びるように形成された、前記被処理物に向かって突出する枠状の周壁部とを有していることを特徴とする請求項１に記載の紫外線処理装置。
【請求項３】
前記ガス供給口が、前記遮光部材における周壁部に開口するように形成されていることを特徴とする請求項２に記載の紫外線処理装置。
【請求項４】
前記ガス供給口が、前記遮光部材の前記被処理物に対向する面に開口するよう形成されていることを特徴とする請求項１または請求項２に記載の紫外線処理装置。
【請求項５】
前記ガス供給口と被処理物との間に、当該被処理物の表面における処理禁止領域に対向してガス流制御板が設けられていることを特徴とする請求項４に記載の紫外線処理装置。
【請求項６】
前記被処理物は、表面に凸部分を有する板状のものであって、当該被処理物の表面における凸部分形成領域を含む領域が処理禁止領域とされており、
当該被処理物は、前記凸部分が前記遮光部材における周壁部によって囲まれた空間内に位置された状態で、当該周壁部の開口端面と間隙を介して配置されることを特徴とする請求項２に記載の紫外線処理装置。
【請求項７】
前記紫外線ランプが配置されたランプ室と、前記被処理物が配置される処理室とが、前記紫外線ランプと対向する位置に前記紫外線透過性窓部材が設けられた隔壁によって区画されており、
前記遮光部材は、処理室内において前記隔壁の表面上の前記紫外線透過性窓部材に近接した位置に設けられており、
前記処理室を画成する処理室筐体には、処理用雰囲気ガスを当該処理室内に供給するための処理用雰囲気ガス供給口が設けられていることを特徴とする請求項１に記載の紫外線処理装置。
【請求項８】
前記処理用雰囲気ガスが前記パージガスと同一種類のガスであることを特徴とする請求項７に記載の紫外線処理装置。
【請求項９】
前記処理用雰囲気ガスおよび前記パージガスが、不活性ガスであることを特徴とする請求項８に記載の紫外線処理装置。
【請求項１０】
前記処理用雰囲気ガスが、前記紫外線ランプからの光が照射されることによりオゾンが生成されるガスであることを特徴とする請求項７または請求項８に記載の紫外線処理装置。
【発明の詳細な説明】
【技術分野】
【０００１】
本発明は、紫外線処理装置に関し、更に詳しくは紫外線によって被処理物の表面を部分的に処理するために好適に用いられる紫外線処理装置に関する。
【背景技術】
【０００２】
従来、紫外線処理装置は、種々の分野において用いられており、具体的には、例えば、ナノインプリント用テンプレートの表面を光洗浄処理（ドライ洗浄処理）する光処理装置として用いられている。
光処理装置として利用される紫外線処理装置の或る種のものは、図８に示すように、上壁７１Ａに石英ガラスよりなる紫外線透過性窓部材７３が設けられた筐体７１を備えており、この筐体７１の内部に、紫外線ランプ８０が配設された構成とされている（例えば、特許文献１参照。）。紫外線透過性窓部材７３は、筐体７１の上壁７１Ａに形成された開口部を塞ぐように設けられており、周縁部が枠状の固定板７８によって固定されている。筐体７１の内部には、冷却用ガスが流通されるガス流路形成部材７５が設けられている。この紫外線処理装置においては、２つの矩形筒状のガス流路形成部材７５が筐体７１における上壁７１Ａの内面および筐体７１における両側壁７１Ｂ，７１Ｃの内面に接する状態で、設けられている。各々のガス流路形成部材７５の内部空間は、筐体７１の上面における紫外線透過性窓部材７３の周囲に開口するガス供給口７４に連続している。
この紫外線処理装置においては、被処理物Ｗであるナノインプリント用テンプレートが、テンプレート保持機構７９によって保持されることにより、被処理物Ｗが紫外線透過性窓部材７３と離間した状態で紫外線透過性窓部材７３と対向するように配置される。そして、被処理物Ｗの被処理面Ｗａ（具体的には、ナノインプリント用テンプレートの表面）に対して、紫外線ランプ８０からの光（紫外線）が紫外線透過性窓部材７３を介して照射される。また、被処理物Ｗの被処理面Ｗａに対して紫外線ランプ８０からの光が照射されている間、すなわち光洗浄処理中には、冷却用ガスが被処理物Ｗと紫外線透過性窓部材７３との間の間隙に供給される。冷却用ガスは、図示しないガス供給源より各々のガス流路形成部材７５の内部に導入される。ガス流路形成部材７５の内部に導入された冷却用ガスは、ガス供給口７４を介して被処理物Ｗと紫外線透過性窓部材７３との間の間隙に供給される。そして、冷却用ガスが当該間隙を流通されることにより、被処理物Ｗおよび紫外線透過性窓部材７３が冷却される。特に、冷却用ガスとして、紫外線が照射されることによってオゾンが生成されるガス（以下、「オゾン生成源ガス」ともいう。）を用いた場合においては、冷却用ガスに紫外線が照射されることによってオゾンが生成される。その結果、被処理面Ｗａにおいては、当該被処理面Ｗａに到達する紫外線の作用、および生成されたオゾンの作用により、光洗浄処理が行われる。
このようにして光洗浄処理が行われることにより、ナノインプリント用テンプレートの表面、具体的にはスタンプ部（パターン部分）に付着していた光硬化性樹脂などの残渣が除去される。
【先行技術文献】
【特許文献】
【０００３】
【特許文献１】特開２０１１−１５５１６０号公報
【発明の概要】
【発明が解決しようとする課題】
【０００４】
タッチパネルの製造工程、バイオチップの製造工程および半導体の製造工程などにおいては、被処理物の表面の一部のみを選択的に処理する必要がある。
具体的に説明すると、タッチパネルの製造工程およびバイオチップの製造工程においては、被処理物の表面に、親水性を有する親水性領域（活性化領域）と疎水性を有する疎水性領域（非活性化領域）とを形成する必要がある。すなわち、被処理物の表面に、洗浄処理を必要とする被処理領域と、洗浄処理が不要な処理禁止領域とが存在する。また、半導体の製造工程における、ペリクル付きレチクル（防護保護膜付きフォトマスク）を洗浄処理する場合においても、被処理物の表面に、洗浄処理を必要とする被処理領域と、洗浄処理が不要な処理禁止領域とが存在する。【０００５】
このように被処理物の表面の一部のみを選択的に処理することが必要な場合において、被処理物の表面の全面に紫外線ランプからの光（紫外線）が照射されてしまうと、処理禁止領域においても処理が行われてしまう、という問題がある。
また、処理禁止領域に対して紫外線ランプからの光（紫外線）が照射されることのないように遮光部材を設けた場合においても、被処理領域上（被処理領域上の空間）において紫外線ランプからの光により発生したオゾンが処理禁止領域上に拡散する。このため、当該処理禁止領域においても不所望な処理が行われてしまう、という問題もある。このような問題は、冷却用ガスとしてオゾン生成源ガスを用いる場合において顕著である。【０００６】
本発明は、以上のような事情に基づいてなされたものであって、その目的は、高い信頼性をもって被処理物の表面を部分的に処理することのできる紫外線処理装置を提供することにある。
【課題を解決するための手段】
【０００７】
本発明の紫外線処理装置は、紫外線を放射する紫外線ランプと、紫外線透過性窓部材とを備えており、当該紫外線ランプからの紫外線が、当該紫外線透過性窓部材を介して、当該紫外線透過性窓部材と離間して対向配置された被処理物の被処理領域に照射される紫外線処理装置であって、
前記被処理物における前記被処理領域以外の処理禁止領域の形状に対応する形状を有する、前記紫外線ランプからの光を遮光する遮光部材が、当該処理禁止領域と対向し、かつ当該被処理物と離間するように設けられており、
前記遮光部材には、当該遮光部材と前記被処理物との間の間隙にパージガスを供給するパージガス供給口が設けられていることを特徴とする。【０００８】
本発明の紫外線処理装置においては、前記遮光部材は、前記処理禁止領域の形状に対応する形状を有する主遮光板部と、当該主遮光板部の前記処理禁止領域に対向する面における外周縁位置において当該主遮光板部の外周縁の全周にわたって伸びるように形成された、前記被処理物に向かって突出する枠状の周壁部とを有していることが好ましい。【０００９】
本発明の紫外線処理装置においては、前記ガス供給口が、前記遮光部材における周壁部に開口するように形成された構成、もしくは、前記ガス供給口が、前記遮光部材の前記被処理物に対向する面に開口するよう形成された構成とすることができる。
前記ガス供給口が、前記遮光部材の前記被処理物に対向する面に開口するよう形成された構成とされている場合には、前記ガス供給口と被処理物との間に、当該被処理物の表面における処理禁止領域に対向してガス流制御板が設けられていることが好ましい。【００１０】
本発明の紫外線処理装置においては、前記被処理物は、表面に凸部分を有する板状のものであって、当該被処理物の表面における凸部分形成領域を含む領域が処理禁止領域とされており、
当該被処理物は、前記凸部分が前記遮光部材における周壁部によって囲まれた空間内に位置された状態で、当該周壁部の開口端面と間隙を介して配置されることが好ましい。【００１１】
このような構成のものにおいては、前記紫外線ランプが配置されたランプ室と、前記被処理物が配置される処理室とが、前記紫外線ランプと対向する位置に前記紫外線透過性窓部材が設けられた隔壁によって区画されており、
前記遮光部材は、処理室内において前記隔壁の表面上の前記紫外線透過性窓部材に近接した位置に設けられており、
前記処理室を画成する処理室筐体には、処理用雰囲気ガスを当該処理室内に供給するための処理用雰囲気ガス供給口が設けられていることが好ましい。【００１２】
また、前記処理用雰囲気ガスが前記パージガスと同一種類のガスであることが好ましく、前記処理用雰囲気ガスおよび前記パージガスとしては、不活性ガスを用いることができる。
さらにまた、前記処理用雰囲気ガスとして、前記紫外線ランプからの光が照射されることによりオゾンが生成されるガスを用いることができる。
【発明の効果】
【００１３】
本発明の紫外線処理装置においては、被処理物における処理禁止領域の形状に対応する形状を有する遮光部材が、被処理物と離間して当該処理禁止領域と対向するように設けられていることから、当該処理禁止領域に対して紫外線ランプからの光が照射されることを防止することができる。また、前記遮光部材には、パージガス供給口が設けられている。このため、当該遮光部材と被処理物との間の間隙において、当該ガス供給口から供給されたガスを当該間隙から溢流させることにより、当該間隙に対する、遮光部材の周囲雰囲気を構成するガスの流入を防止することができる。これにより、遮光部材の周囲雰囲気中において紫外線ランプからの光（紫外線）の作用によって生じたオゾンが、遮光部材と被処理物との間の間隙に流入することを防止することができる。
従って、本発明の紫外線処理装置によれば、被処理物の表面における処理禁止領域に対して紫外線が照射されることがなく、かつ生成されたオゾンが処理禁止領域に接触することもないため、当該処理禁止領域に対する不所望な表面処理が行われることを回避することができる。すなわち、被処理物の表面における被処理領域に対してのみ所期の表面処理を行うことができるため、高い信頼性をもって被処理物の表面を部分的に処理することができる。
【図面の簡単な説明】
【００１４】
【図１】本発明の第１の紫外線処理装置の構成の一例の概略を、被処理物と共に示す説明用断面図である。
【図２】図１の第１の紫外線処理装置における処理室の構成を示す説明用平面図である。
【図３】図１の第１の紫外線処理装置における遮光部材の構成を示す説明用斜視図である。
【図４】図１の紫外線処理装置によって処理される被処理物の構成の概略を示す（ａ）平面図、（ｂ）（ａ）におけるＡ−Ａ線断面図である。
【図５】図１の紫外線処理装置におけるパージガスの流れを示す説明図である。
【図６】本発明の紫外線処理装置の構成の他の例の要部を、被処理物と共に示す説明図である。
【図７】本発明の紫外線処理装置の構成の更に他の例の要部を、被処理物と共に示す説明図である。
【図８】従来の紫外線処理装置の構成の一例を、被処理物と共に示す説明用断面図である。
【発明を実施するための形態】
【００１５】
以下、本発明の実施の形態について詳細に説明する。
【００１６】
（第１の紫外線処理装置）
図１は、本発明の第１の紫外線処理装置の構成の一例の概略を、被処理物と共に示す説明用断面図であり、図２は、図１の第１の紫外線処理装置における処理室の構成を示す説明用平面図であり、図３は、図１の第１の紫外線処理装置における遮光部材の構成を示す説明用斜視図である。また、図４は、図１の紫外線処理装置によって処理される被処理物の構成を概略的に示す説明図である。
第１の紫外線処理装置１０は、例えばペリクル付きレチクル（防護保護膜付きフォトマスク）を被処理物Ｗとし、ペリクル付きレチクルの表面を部分的に処理するために用いられる。具体的には、第１の紫外線処理装置１０は、ペリクル付きレチクルの表面における少なくともペリクルが設けられた領域を処理禁止領域とし、当該処理禁止領域以外の領域を選択的にドライ洗浄処理するために用いられる。
【００１７】
被処理物Ｗは、図４（ａ）、（ｂ）に示されているように、例えば正方形平板状のレチクルＷ１の表面における中央領域に、当該レチクルＷ１の縦横寸法よりも小さい縦横寸法を有する一方向に長尺な矩形平薄膜状のペリクルＷ２が設けられて構成されており、ペリクルＷ２により構成された矩形平薄膜状の凸部分Ｗｂを表面に有する。以下、当該一方向を「長手方向」、レチクルＷ１の表面に沿った平面における当該一方向に直交する方向を「幅方向」という。
この例の被処理物Ｗにおいては、当該被処理物Ｗの表面におけるペリクルＷ２が形成された領域と、ペリクルＷ２の形成領域の周囲を囲むレチクルＷ１の表面における矩形細環状領域とを含む長手方向に伸びる矩形状の領域が、処理禁止領域Ｔ１とされている。また、レチクルＷ１の表面における処理禁止領域Ｔ１の幅方向両側に位置された矩形帯状の領域の各々が、被処理領域Ｔ２（被処理面Ｗａ）とされている。被処理領域Ｔ２を構成する２つの矩形帯状の領域は、被処理物Ｗの長手方向に伸びる側縁を含む領域である。図４において、処理禁止領域Ｔ１は、一点鎖線で囲まれた領域を示し、被処理領域Ｔ２は、二点鎖線で囲まれた領域を示す。
被処理物Ｗの一構成例を示すと、レチクルＷ１の縦横寸法は、例えば１５２ｍｍ×１５２ｍｍであり、被処理領域Ｔ２の幅方向（図４（ａ）における左右方向）の寸法が例えば１５ｍｍであって、被処理領域Ｔ２の長手方向（図４（ａ）における上下方向）の寸法が例えば１３６ｍｍである。
【００１８】
第１の紫外線処理装置１０は、一方（図１における上方）が開口する、開口方向に直交する一方向に長尺な直方体箱型形状のランプ室筐体１１を備えている。以下においては、便宜上、ランプ室筐体１１の開口方向を上方向とし、当該一方向を長手方向、開口方向に対して垂直な平面において当該一方向に直交する方向を幅方向と定義する。
ランプ室筐体１１の開口端面には、当該開口を塞ぐように矩形平板状の隔壁１３が気密に設けられている。
隔壁１３の上面には、上方開口が矩形平板状の蓋部材２３によって閉塞された矩形枠状の処理室筐体２１が配置されており、これにより、被処理物Ｗが配置される処理室Ｓ１が形成されている。この例における処理室筐体２１は、長手方向の寸法がランプ室筐体１１の長手方向の寸法より小さく、幅方向の寸法は、ランプ室筐体１１の幅方向の寸法と同一の大きさとされている。この処理室筐体２１は、長手方向一端側に位置された幅方向に伸びる一方の端壁２２Ａの外面の位置が、ランプ室筐体１１における長手方向一端側に位置された幅方向に伸びる一方の端壁の外面の位置と一致した状態で、配置されている。また、長手方向に伸びる一対の側壁２２Ｂ，２２Ｄの各々の外面の位置が、ランプ室筐体１１の長手方向に伸びる一対の側壁１２Ａ，１２Ｂの各々の外面の位置と一致した状態とされている。
処理室筐体２１の一方の端壁２２Ａには、被処理物Ｗを処理室Ｓ１に搬入および搬出するための搬入搬出口（図示省略）が設けられている。この搬入搬出口には、シャッター（図示省略）が設けられている。
【００１９】
隔壁１３には、処理室Ｓ１を画成する部分における処理室筐体２１の側壁２２Ｂ，２２Ｄの各々に近接した位置に、例えば石英ガラスよりなる矩形平板状の長尺な２つの紫外線透過性窓部材１５Ａ，１５Ｂが、その光入射面および光出射面が長手方向に水平に伸びる姿勢で設けられている。また、各々の紫外線透過性窓部材１５Ａ，１５Ｂは、処理室Ｓ１の長手方向中央位置より処理室筐体２１の一方の端壁２２Ａに接近した位置に設けられている。
【００２０】
ランプ室筐体１１の内部空間は、２つの区隔壁１７Ａ，１７Ｂによって、幅方向に並ぶ３つの空間に気密に区画されている。一方の区隔壁１７Ａは、一方の紫外線透過性窓部材１５Ａの配設位置より幅方向内方側の位置において、ランプ室筐体１１の一方の側壁１２Ａと互いに平行に長手方向に伸びるように配設されている。また、他方の区隔壁１７Ｂは、他方の紫外線透過性窓部材１５Ｂの配設位置より幅方向内方側の位置において、ランプ室筐体１１の他方の側壁１２Ｂと互いに平行に長手方向に伸びるように配設されている。そして、この第１の紫外線処理装置１０においては、幅方向中央に位置される空間が照射距離調整機構収容室Ｓ４とされており、幅方向両側に位置される空間がそれぞれランプ室Ｓ２，Ｓ３とされている。
【００２１】
各々のランプ室Ｓ２，Ｓ３内には、円形棒状の紫外線ランプ４０Ａ，４０Ｂが、ランプ軸（中心軸）が長手方向に水平に伸びる姿勢で、それぞれ対応する紫外線透過性窓部材１５Ａ，１５Ｂと対向して配置されている。
また、各々のランプ室Ｓ２，Ｓ３には、当該ランプ室Ｓ２，Ｓ３内を例えば窒素ガスなどの不活性ガスによってパージする不活性ガスパージ手段（図示省略）が設けられている。
この図の例における紫外線ランプ４０Ａ，４０Ｂは、互いに同一種類かつ同一形状のものである。また、紫外線ランプ４０Ａ，４０Ｂは、それぞれ対応する紫外線透過性窓部材１５Ａ，１５Ｂとの離間距離が同等の大きさとなるように配置されている。
【００２２】
照射距離調整機構収容室Ｓ４には、後述する照射距離調整機構を構成するシャフト駆動源１９が配設されており、照射距離調整機構によって、被処理物Ｗが上下方向に移動されることにより被処理物Ｗの被処理面Ｗａと紫外線透過性窓部材１５Ａ，１５Ｂの光出射面との離間距離（被処理物Ｗに対する紫外線の照射距離）が調整される。
【００２３】
処理室筐体２１には、被処理物Ｗを処理するために必要とされる処理用雰囲気ガスを処理室Ｓ１内に供給するための処理用雰囲気ガス供給口２８が設けられている。処理用雰囲気ガス供給口２８は、処理室筐体２１の長手方向他端側に位置された幅方向に伸びる他方の端壁２２Ｃに形成された貫通孔によって構成されている。処理用雰囲気ガス供給口２８は、幅方向中心位置より一方の側壁２２Ｂに接近した位置に形成されている。
そして、処理用雰囲気ガス供給口２８には、処理室Ｓ１の外部に設けられた処理用雰囲気ガス供給手段（図示省略）が接続されている。
この図の例において、処理室Ｓ１には、被処理物Ｗを処理する過程において発生したオゾンを排気する排気管２７が、処理室筐体２１の他方の側壁２２Ｄに沿って伸びるように設けられている。この排気管２７は、処理室筐体２１の他方の端壁２２Ｃにおける他方の側壁２２Ｄに接近した位置に形成された貫通孔よりなる排気口２９を介して、処理室Ｓ１の外部に設けられたオゾン排気手段（図示省略）に接続されている。
【００２４】
処理用雰囲気ガスとしては、被処理物Ｗの種類などに応じて適宜のものが用いられる。
例えば、被処理物Ｗの処理にオゾンの作用を利用する場合には、処理用雰囲気ガスとして紫外線が照射されることによってオゾンが生成されるガス（オゾン生成源ガス）が用いられる。ここに、オゾン生成源ガスの具体例としては、例えば酸素ガスおよびＣＤＡ（Ｃｌｅａｎ  Ｄｒｙ  Ａｉｒ）などを例示することができる。また、処理用雰囲気ガスとしては、被処理物Ｗの処理にオゾンの作用を利用しない場合には、窒素ガスなどの不活性ガスが用いられる。処理用雰囲気ガスとして不活性ガスが用いられることにより、紫外線ランプ４０Ａ，４０Ｂからの光に含まれる紫外線（真空紫外線）が酸素に吸収されることに起因して被処理物Ｗに対する紫外線照射量が低下することを抑制することができる。
また、処理用雰囲気ガスとしては、酸素ガス、ＣＤＡおよび不活性ガスの少なくとも２種の混合ガスを用いることもできる。
【００２５】
処理用雰囲気ガス供給手段としては、処理用雰囲気ガスの種類などに応じて適宜のものが用いられる。
【００２６】
処理用雰囲気ガス供給手段による処理用雰囲気ガスの供給条件は、処理用雰囲気ガスの種類、処理室Ｓ１において必要とされる処理用雰囲気条件、処理室Ｓ１の容積および紫外線透過性窓部材１５Ａ，１５Ｂと被処理物Ｗとの離間距離などを考慮して適宜に定められる。
【００２７】
また、処理室Ｓ１内には、被処理物Ｗを紫外線透過性窓部材１５Ａ，１５Ｂと上下方向に離間した状態に保持する被処理物保持部材が配置されている。
この例における被処理物保持部材は、紫外線透過性窓部材１５Ａ，１５Ｂの両端の長手方向外方側の位置にそれぞれ配置された４つの載置台２５により構成されている。各々の載置台２５は、Ｌ字状の外観形状を有しており、長手方向に伸びる角柱状の支持部の平坦な上面によって載置面２５Ａが形成されている。各々の載置台２５の載置面２５Ａは、同一水平面上に位置されている。よって、被処理物Ｗが４つの載置台２５の載置面２５Ａによって支持されることにより、被処理物Ｗが、被処理面Ｗａがそれぞれ対応する紫外線透過性窓部材１５Ａ，１５Ｂの光出射面と互いに対向して平行に伸びる姿勢で、紫外線透過性窓部材１５Ａ，１５Ｂと間隙を介して配置される。
【００２８】
この紫外線処理装置１０においては、被処理物保持部材が照射距離調整機構によって上下方向に移動自在に配置されている。
照射距離調整機構は、例えばリフターにより構成されており、処理室Ｓ１内における紫外線透過性窓部材１５Ａ，１５Ｂの両端の各々の長手方向外方側の位置において、互いに対向して幅方向に伸びるように配置された２つの長尺な矩形柱状の載置台固定部材２６を備えている。各々の載置台固定部材２６の一端部は、一方の紫外線透過性窓部材１５Ａが配設された幅方向位置に位置されており、他端部は、他方の紫外線透過性窓部材１５Ｂが配設された幅方向位置に位置されている。各々の載置台固定部材２６の上面における両端の各々に、載置台２５が載置面２５Ａが上方を向く姿勢で固定されている。
各々の載置台固定部材２６の下面における略中央位置には、柱状のシャフト３４の一端が固定されている。各々のシャフト３４は、隔壁１３に形成されたシャフト用貫通孔（図示省略）を挿通して上下方向に伸びるよう設けられている。各々のシャフト３４は、照射距離調整機構収容室Ｓ４内に配設されたシャフト駆動源１９によって、上下方向に駆動される。
この照射距離調整機構においては、各々のシャフト３４が互いに同期がとられた状態で移動されることにより、被処理物Ｗの姿勢が維持されたまま、被処理物Ｗの被処理面Ｗａと紫外線透過性窓部材１５Ａ，１５Ｂの光出射面との離間距離が調整される。
【００２９】
各々のシャフト３４には、伸縮性をもつステンレス製のベローズ（図示省略）が外装されている。ベローズの一端は載置台固定部材２６の下面に気密に接合され、他端は隔壁１３の上面に気密に接合されている。これにより、処理室Ｓ１内の雰囲気を構成するガス（処理用雰囲気ガス）がシャフト用貫通孔を介して照射距離調整機構収容室Ｓ４内に流出すること、もしくは照射距離調整機構収容室Ｓ４内の雰囲気を構成するガスがシャフト用貫通孔を介して処理室Ｓ１内に流入することを回避することができる。
【００３０】
而して、上記の紫外線処理装置においては、処理室Ｓ１内に、紫外線ランプ４０Ａ，４０Ｂからの光を遮光する略矩形板状の遮光部材３０が配置されており、遮光部材３０と隔壁１３とにより、紫外線ランプ４０Ａ，４０Ｂからの光が処理禁止領域Ｔ１に照射されることを防止する遮光機構が構成されている。
【００３１】
遮光部材３０は、図１〜図３に示されているように、被処理物Ｗにおける処理禁止領域Ｔ１の形状に対応する矩形状の平面形状を有するものであればよいが、当該処理禁止領域Ｔ１に対向するように位置される平板状の主遮光板部３１と、当該主遮光板部３１の上面における外周縁位置において主遮光板部３１の外周縁の全周にわたって伸びるように形成された、被処理物Ｗに向かって突出する枠状の周壁部３２とを有する構成とされていることが好ましい。
この図の例においては、遮光部材３０は、隔壁１３の上面における２つの紫外線透過性窓部材１５Ａ，１５Ｂの間の矩形状の領域（以下、「窓部材間領域」ともいう。）に形成された凹所内に、周壁部３２が隔壁１３の上面より上方に突出する状態で位置され、被処理物Ｗの表面と離間した状態で、被処理物Ｗの表面における処理禁止領域Ｔ１と対向して配置されている。
従って、遮光部材３０が周壁部３２を有するものであることにより、処理禁止領域Ｔ１に含まれる被処理物Ｗにおける凸部分Ｗｂの周囲を周壁部３２によって包囲することができるため、当該遮光部材３０により優れた遮光機能が得られる。また、第１の紫外線処理装置１０の設計の自由度が大きくなる。具体的には、後述するパージガス供給口３３の配設位置の自由度が大きくなり、また、主遮光板部３１と被処理物Ｗとの離間距離を大きくすることができる。
この図の例において、主遮光板部３１は、処理禁止領域Ｔ１の縦横寸法と同等の縦横寸法を有している。
【００３２】
また、遮光部材３０における周壁部３２の高さは、レチクルＷ１の表面に対するペリクルＷ２の突出高さ（ペリクルＷ２の厚み）および後述するパージガス供給口３３の配設位置などに応じて適宜に定められる。周壁部３２の高さは、例えば４．５ｍｍである。
【００３３】
遮光部材３０は、紫外線ランプ４０Ａ，４０Ｂからの光に対する遮光性を有すると共に、耐紫外線性および必要に応じて耐オゾン性を有する材料により構成されている。
遮光部材３０の材質の具体例としては、ステンレス鋼材（ＳＵＳ）などが挙げられる。
また、遮光部材３０がステンレス鋼（ＳＵＳ）よりなる場合には、主遮光板部３１および周壁部３２の厚みは、例えば０．５〜１．５ｍｍである。
【００３４】
また、図３に示されているように、遮光部材３０における周壁部３２には、遮光部材３０における主遮光板部３１と被処理物Ｗとの間に形成される間隙（以下、「パージ空間Ｓｐ」ともいう。）に対してパージガスを供給するためのパージガス供給口３３が形成されている。
この図の例において、パージガス供給口３３は、矩形状の切り欠き部によって構成されており、周壁部３２の長手方向他端側に位置された幅方向に伸びる他方の端壁部分３２Ｃに形成されている。具体的には、処理室Ｓ１内に配管されるパージガス供給管３８と、照射距離調整機構におけるシャフト３４との干渉を避けるため、パージガス供給口３３は、他方の端壁部分３２Ｃにおける幅方向中心位置より一方の側壁部分３２Ｂに接近した位置に形成されている。パージガス供給管３８は、照射距離調整機構における長手方向他端側（図２における上方側）に配置された載置台固定部材２６と干渉しないように配管されている。この図の例では、パージガス供給管３８の一端部がパージガス供給口３３内に位置されており、他端部が処理室筐体２１における他方の端壁２２Ｃに形成された貫通孔２４に設けられた管結合部材３９の一端部に接続されている。管結合部材３９の他端部には、パージガス供給手段（図示省略）に接続されたガス管（（図示省略））が接続されている。
【００３５】
パージガスとしては、被処理物Ｗの種類などに応じて、処理用雰囲気ガスの種類を考慮して適宜のものを用いることができるが、基本的には、パージガスとしては、処理効率の観点から、処理用雰囲気ガスを構成するガスと同種のガスが用いられることが好ましい。
パージガスとしては、処理用雰囲気ガスとして例示した、酸素ガスおよびＣＤＡなどのオゾン生成ガス、もしくは窒素ガスなどの不活性ガス、もしくは、これらの混合ガスを用いることができる。
【００３６】
パージガス供給手段としては、パージガスの種類などに応じて適宜のものが用いられる。
パージガス供給手段によるパージガスの供給条件は、パージ空間Ｓｐにおいて、パージガスを、周壁部３２の開口端面と被処理物Ｗの表面との間の間隙から溢流させながら、全体的にはパージガス供給口３３から一方の端壁部分３２Ａに向かって長手方向に流動させることができるよう、主遮光板部３１の上面と被処理物Ｗの表面との離間距離の大きさ、周壁部３２の開口端面と被処理物Ｗの表面との離間距離の大きさおよび処理用雰囲気ガスの供給条件などを考慮して適宜に定められる。図３においては、パージガス供給口３３から供給されたパージガスの流動方向（全体的な流動方向）が矢印によって示されている。
【００３７】
紫外線ランプ４０Ａ，４０Ｂとしては、紫外線を放射するものであれば、公知の種々のランプを用いることができ、被処理物Ｗの種類および処理用雰囲気ガスの種類などに応じて適宜のものが用いられる。
紫外線ランプ４０Ａ，４０Ｂの具体例としては、水銀ランプ、並びに、ピーク波長（中心波長）が１７２ｎｍの光（真空紫外線）を放射するキセノンエキシマランプ（Ｘｅ2 エキシマランプ）およびピーク波長（中心波長）が２２２ｎｍの光（紫外線）を放射するクリプトンクロライドエキシマランプ（ＫｒＣｌエキシマランプ）等のエキシマランプなどが挙げられる。
この図の例において、紫外線ランプ４０Ａ，４０Ｂとしては、ピーク波長が１７２ｎｍの光を放射する、棒状のキセノンエキシマランプが用いられている。
【００３８】
上述したように、第１の紫外線処理装置１０においては、被処理物Ｗが４つの載置台部材２５によって保持される。これにより、被処理物Ｗが、その表面におけるペリクルＷ２により構成された凸部分Ｗｂが遮光部材３０の周壁部３２によって囲まれたパージ空間Ｓｐ内に位置された状態で、処理禁止領域Ｔ１の一部を構成するレチクルＷ１の表面における矩形細環状領域が遮光部材３０の周壁部３２の開口端面と間隙を介して配置される。
【００３９】
被処理物Ｗと紫外線透過性窓部材１５Ａ，１５Ｂとの離間距離は、紫外線ランプ４０Ａ，４０Ｂの種類、および処理用雰囲気ガスの種類に応じて適宜に定められる。
被処理物Ｗの被処理面Ｗａと、それぞれ対応する紫外線透過性窓部材１５Ａ，１５Ｂの光出射面との離間距離は、例えば２ｍｍである。ここに、一方の紫外線透過性窓部材１５Ａの光出射面と他方の紫外線透過性窓部材１５Ｂの光出射面とは、互いに同一のレベル位置に位置されている。
また、被処理物Ｗの表面における矩形細環状領域と周壁部３２の開口端面との離間距離は、０．５〜１．５ｍｍであることが好ましく、被処理物Ｗにおける凸部分Ｗｂの表面（ペリクルＷ２の表面）と主遮光板部３１の上面との離間距離は、１〜２．５ｍｍであることが好ましい。
【００４０】
この第１の紫外線処理装置１０においては、被処理物Ｗは、搬入搬出用ロボットによって処理室Ｓ１内における所期の位置に配置される。具体的には、先ず、処理室Ｓ１における搬入搬出口のシャッターが開かれ、搬入搬出用ロボットにより、被処理物Ｗが当該搬入搬出口から当該処理室Ｓ１に搬入され、４つの載置台部材２５の各々の載置面２５Ａ上に載置される。次いで、照射距離調整機構によって載置台固定部材２６の各々が上方に移動されて載置台固定部材２６が最上位置まで上昇した状態とされる。そして、搬入搬出用ロボットが処理室Ｓ１から退避された後、シャッターが閉められる。次いで、照射距離調整機構によって載置台固定部材２６の各々が下方に移動されて載置台固定部材２６の各々が所期の位置まで下降される。具体的には例えば、被処理物Ｗに対する照射距離が例えば２ｍｍとなる状態とされる。
このようにして被処理物Ｗが配置された処理室Ｓ１においては、処理用雰囲気ガス供給口２８を介して窒素ガスが供給されると共に、パージガス供給口３３を介して窒素ガスが供給されることにより、処理室Ｓ１における酸素濃度が１〜１０ｖｏｌ％Ｏ2となるように窒素パージが行われる。ここに、処理用雰囲気ガス供給口２８から供給される窒素ガスの流量は、例えば１５Ｌ／ｍｉｎであり、パージガス供給口３３を介して供給される窒素ガスの流量は、例えば５Ｌ／ｍｉｎである。
その後、処理用雰囲気ガス供給口２８およびパージガス供給口３３からの窒素ガスの供給が継続された状態で、紫外線ランプ４０Ａ，４０Ｂが、例えば紫外線透過性窓部材１５Ａ，１５Ｂにおける放射発散度が１０ｍＷ／ｃｍ2 となる条件で一斉に点灯される。このようにして、紫外線ランプ４０Ａ，４０Ｂからの光（紫外線）が紫外線透過性窓部材１５Ａ，１５Ｂを介して被処理物Ｗの被処理面Ｗａに照射されることにより、被処理物Ｗの処理が行われる。ここに、紫外線照射条件は、照射時間が例えば５〜６００秒間、積算光量が５０〜６０００ｍＪ／ｃｍ2 となる条件とされる。
紫外線照射処理が終了されると、照射距離調整機構によって載置台固定部材２６の各々が上方に移動されて載置台固定部材２６の各々が最上位置まで上昇した状態とされると共に、オゾン排気手段によって、処理室Ｓ１の雰囲気を構成するガス（被処理物Ｗを処理する過程において発生したオゾンを含む処理用雰囲気ガス）が排気管２７を介して排気される。その後、処理室Ｓ１における搬入搬出口のシャッターが開かれ、処理済みの被処理物Ｗが搬入搬出用ロボットにより当該搬入搬出口から当該処理室Ｓ１から搬出される。
【００４１】
而して、第１の紫外線処理装置１０においては、被処理物Ｗにおける処理禁止領域Ｔ１の形状に対応する形状を有する遮光部材３０が設けられていることから、処理禁止領域Ｔ１に対して紫外線ランプ４０Ａ，４０Ｂからの光が照射されることを防止することができる。また、図５に示すように、パージ空間Ｓｐにおいて、パージガス供給口３３から供給されたパージガス（図５において塗りつぶした矢印で示す。）を、周壁部３２の開口端面と被処理物Ｗの表面における矩形細環状領域との間の間隙を介して、パージ空間Ｓｐから溢流させることにより、当該パージ空間Ｓｐに対する、遮光部材３０の周囲雰囲気を構成する処理用雰囲気ガスの流入を防止することができる。そのため、処理用雰囲気ガスとしてオゾン生成ガスが用いられる場合であっても、紫外線ランプ４０Ａ，４０Ｂからの紫外線（図５において白抜きの矢印で示す。）が処理用雰囲気ガスに照射されることによって生成されたオゾンがパージ空間Ｓｐ内に流入することを防止することができる。
従って、第１の紫外線処理装置１０によれば、被処理物Ｗの表面Ｗａにおける処理禁止領域Ｔ１に対して紫外線が照射されることがなく、かつ生成されたオゾンが処理禁止領域Ｔ１に接触することもないため、処理禁止領域Ｔ１に対する不所望な表面処理が行われることを回避することができる。すなわち、被処理物Ｗの表面における被処理領域Ｔ２に対してのみ所期の表面処理を行うことができるため、高い信頼性をもって被処理物Ｗの表面を部分的に処理することができる。
【００４２】
また、第１の紫外線処理装置１０においては、遮光部材３０が、主遮光板部３１と周壁部３２とを有していることから、当該遮光部材３０には優れた遮光機能が得られる。また、第１の紫外線処理装置１０は、大きな設計の自由度を有するものとされている。
【００４３】
（第２の紫外線処理装置）
図６は、本発明の紫外線処理装置の構成の他の例の要部を、被処理物と共に示す説明図である。この図６において、（ａ）は、遮光部材とガス流制御板との位置関係を示す、遮光部材の下面側から見た説明用平面図であり、（ｂ）は、長手方向に垂直な断面を示す拡大図である。
この第２の紫外線処理装置は、遮光部材５０におけるパージガス供給口５３の配置位置が異なること、および、パージ空間Ｓｐにガス流制御板５５が設けられていること以外は、図１に係る第１の紫外線処理装置１０と同様の構成を有する。そして、第２の紫外線処理装置は、第１の紫外線処理装置１０と同様に、ペリクル付きレチクル（防護保護膜付きフォトマスク）を被処理物Ｗとし、ペリクル付きレチクルの表面を部分的に処理するために用いられる。具体的には、第２の紫外線処理装置は、被処理物Ｗであるペリクル付きレチクルの表面における少なくともペリクルＷ２が設けられた長手方向（図６（ａ）において左右方向）に伸びる矩形状の領域を処理禁止領域Ｔ１とし、露出された状態のレチクルＷ１の表面における当該処理禁止領域Ｔ１の幅方向両側に位置された矩形帯状の被処理領域Ｔ２の各々を選択的にドライ洗浄処理するために用いられる。
【００４４】
第２の紫外線処理装置における遮光部材５０は、第１の紫外線処理装置１０における遮光部材３０と同様の構成を有しており、平板状の主遮光板部５１と、主遮光板部３１の上面における外周縁位置において主遮光板部５１の外周縁の全周にわたって伸びるように形成された、被処理物Ｗに向かって突出する枠状の周壁部５２とを有する。主遮光板部５１は、被処理物Ｗにおける処理禁止領域Ｔ１の形状に対応する矩形形状を有しており、被処理物Ｗにおける処理禁止領域Ｔ１に対向する位置に設けられている。
この遮光部材５０においては、遮光部材５０の被処理物Ｗに対向する面、すなわち主遮光板部５１の上面に開口する貫通孔が主遮光板部５１の厚み方向に伸びるよう形成されており、これにより、パージガス供給口５３が構成されている。この図の例においては、パージガス供給口５３を構成する貫通孔は例えば円形状であって、主遮光板部５１の中央位置に形成されている。
【００４５】
上述したように、第２の紫外線処理装置においては、パージガス供給口５３から供給されるパージガスの流動方向を制御するガス流制御板５５がパージ空間Ｓｐ内に設けられている。ガス流制御板５５は、具体的には、パージガス供給口５３から供給されるパージガスが被処理物Ｗにおける処理禁止領域に直接的に吹き付けられることを防止するためのものである。
【００４６】
ガス流制御板５５は、主遮光板部５１の四隅に配設されたスペーサ５６によって支持されており、パージ空間Ｓｐ内において、主遮光板部５１と互いに平行に伸びるように、主遮光板部５１の上面と間隙を介して配設されている。そして、ガス流制御板５５の側周面と、遮光部材５０の周壁部５２の内面との間には、パージガスが流通される間隙が形成されている。
この図の例においては、被処理物Ｗは、その表面における凸部分Ｗｂがパージ空間Ｓｐ内におけるガス流制御板５５の直上の位置においてガス流制御板５５と間隙を介して位置されるよう、配置されている。そして、ガス流制御板５５は、被処理物ＷにおけるペリクルＷ２の表面の縦横寸法と同等の縦横寸法を有する矩形平板状体により構成されており、当該ガス流制御板５５によって、ペリクルＷ２の表面の全体が覆われている。
ガス流制御板５５は、例えばステンレス鋼材（ＳＵＳ）およびアルミニウムなどの金属により構成されており、厚みは、例えば０．５〜１．５ｍｍである。
また、遮光部材５０における主遮光板部５１の上面とガス流制御板５５の下面との離間距離は、例えば１〜２．５ｍｍとされており、ガス流制御板５５の上面と被処理物Ｗにおける凸部分Ｗｂの表面（ペリクルＷ２の表面）との離間距離は、例えば１〜１．５ｍｍとされている。
【００４７】
この第２の紫外線処理装置においては、第１の紫外線処理装置１０と同様に、被処理物Ｗは、搬入搬出用ロボットによって処理室における所期の位置に配置され、その処理室において光洗浄処理が行われ、その後、処理済みの被処理物Ｗが搬入搬出用ロボットによって搬出される。
【００４８】
而して、第２の紫外線処理装置においては、遮光部材５０が設けられていることから、紫外線ランプからの光が被処理物Ｗにおける処理禁止領域に照射されることを防止することができる。また、パージガス供給口５３からパージ空間Ｓｐ内に供給されたパージガスを、周壁部５２の開口端面と被処理物Ｗの表面におけるペリクルＷ１が露出された領域との間の間隙を介して、パージ空間Ｓｐから溢流させることにより、遮光部材３０の周囲雰囲気を構成する処理用雰囲気ガスがパージ空間Ｓｐ内に流入することを防止することができる。そのため、処理室において、紫外線ランプからの光が処理用雰囲気ガスに照射されることに伴ってオゾンが生成された場合であっても、オゾンがパージ空間Ｓｐ内に流入することを防止することができる。
従って、第２の紫外線処理装置によれば、被処理物Ｗの表面における処理禁止領域Ｔ１に対して紫外線が照射されることがなく、かつ生成されたオゾンが処理禁止領域Ｔ１に接触することもないため、処理禁止領域Ｔ１に対する不所望な表面処理が行われることを回避することができる。すなわち、被処理物Ｗの表面における被処理領域Ｔ２に対してのみ所期の表面処理を行うことができるため、高い信頼性をもって被処理物Ｗの表面を部分的に処理することができる。
【００４９】
また、第２の紫外線処理装置においては、パージ空間Ｓｐ内において、ガス流制御板５５が遮光部材５０の主遮光板部５１と被処理物Ｗとの間に介挿されて設けられている。このため、主遮光板部５１に設けられたパージガス供給口５３から供給されたパージガスが、被処理物Ｗの処理禁止領域Ｔ１に対して直接的に吹き付けられることがない。そして、パージガス供給口５３が主遮光板部５１に設けられていることによれば、遮光部材５０の周囲雰囲気を構成する処理用雰囲気ガスがパージ空間Ｓｐ内に流入することをより一層確実に防止することができる。
具体的に説明すると、図１に係る第１の紫外線照射装置１０においては、パージ空間Ｓｐ内においては、パージガスが、全体的には、周壁部３２における他方の端壁部分３２Ｃに形成されたパージガス供給口３３から一方の端壁部分３２Ａに向かって長手方向に流動される。このため、パージガスの流れにより、周壁部３２の開口端面と被処理物Ｗとの間の間隙から処理用雰囲気ガスが巻き込まれて、生成されたオゾンがパージ空間Ｓｐ内に流入されるおそれがある。而して、第２の紫外線処理装置においては、図６（ａ）、（ｂ）においてパージガスの流動方向を白抜きの矢印によって示しているように、パージガス供給口５３から供給されたパージガスは、パージ空間Ｓｐ内において、ガス流制御板５５に沿って周壁部５２に向かって放射状に流動される。従って、生成されたオゾンを含む処理用雰囲気ガスがパージガスの流れによって巻き込まれてパージ空間Ｓｐ内に流入することを確実に防止することができる。
【００５０】
（第３の紫外線処理装置）
図７は、本発明の紫外線処理装置の構成の更に他の例の要部を示す説明図である。この図７において、（ａ）は、遮光部材と被処理物との位置関係を示す、遮光部材の下面側から見た説明用平面図であり、（ｂ）は、長手方向に垂直な断面を示す拡大図である。
この第３の紫外線処理装置は、遮光部材の構成が異なり、当該遮光部材におけるパージガス供給口の配置位置が異なること以外は、図１に係る第１の紫外線処理装置１０と同様の構成を有する。
この第３の紫外線処理装置は、例えば表面が平坦な板状体よりなる被処理物Ｗの表面を部分的に処理するために用いられる。この図の例における被処理物Ｗにおいては、被処理物Ｗの表面における長手方向（図７（ａ）において左右方向）に伸びる長尺な矩形状の中央領域が処理禁止領域Ｔ１とされ、処理禁止領域Ｔ１の幅方向両側に位置された矩形帯状の領域が被処理領域Ｔ２とされる。
【００５１】
第３の紫外線処理装置における遮光部材６０は、被処理物Ｗにおける処理禁止領域Ｔ１の形状に対応する矩形形状を有する平板状体よりなる。
この遮光部材６０においては、遮光部材６０の被処理物Ｗに対向する面、すなわち上面に開口する貫通孔が厚み方向に伸びるよう形成されており、これにより、パージガス供給口６３が構成されている。この図の例においては、パージガス供給口６３を構成する貫通孔は例えば円形状であって、遮光部材６０の中央位置に形成されている。
遮光部材６０の厚みは、０．５〜１．５ｍｍである。
【００５２】
この第３の紫外線処理装置においては、第１の紫外線処理装置１０と同様に、被処理物Ｗは、搬入搬出用ロボットによって処理室における所期の位置に配置され、その処理室において光洗浄処理が行われ、その後、処理済みの被処理物Ｗが搬入搬出用ロボットによって搬出される。ここに、被処理物Ｗは、その表面と遮光部材６０の上面との離間距離が例えば０．５〜１．５ｍｍとなるように配置される。
【００５３】
而して、第３の紫外線処理装置においては、遮光部材６０が設けられていることから、紫外線ランプからの光が被処理物Ｗにおける処理禁止領域Ｔ１に照射されることを防止することができる。また、パージガス供給口６３からパージ空間Ｓｐ内に供給されたパージガスを、遮光部材６０の上面に沿って流動させてパージ空間Ｓｐから溢流させることにより、処理用雰囲気ガスがパージ空間Ｓｐ内に流入することを防止することができる。そのため、処理室において、紫外線ランプからの光が処理用雰囲気ガスに照射されることに伴ってオゾンが生成された場合であっても、オゾンがパージ空間Ｓｐ内に流入することを防止することができる。
従って、第３の紫外線処理装置によれば、被処理物Ｗの表面における処理禁止領域Ｔ１に対して紫外線が照射されることがなく、かつ生成されたオゾンが処理禁止領域Ｔ１に接触することもないため、処理禁止領域Ｔ１に対する不所望な表面処理が行われることを回避することができる。すなわち、被処理物Ｗの表面における被処理領域Ｔ２に対してのみ所期の表面処理を行うことができるため、高い信頼性をもって被処理物Ｗの表面を部分的に処理することができる。
【００５４】
また、第３の紫外線処理装置においては、パージガス供給口６３が遮光部材６０の略中央位置に形成されている。このため、図７（ａ）、（ｂ）においてパージガスの流動方向を矢印によって示しているように、パージガス供給口６３から供給されたパージガスは、パージ空間Ｓｐ内において遮光部材６０の外周縁に向かって放射状に流動される。従って、生成されたオゾンを含む処理用雰囲気ガスがパージガスの流れによって巻き込まれてパージ空間Ｓｐ内に流入することをより一層確実に防止することができる。
【００５５】
以上、本発明の実施の形態を説明したが、本発明は上記の実施の形態に限定されず、種々の変更を加えることができる。
例えば、紫外線処理装置全体の構造は、図１〜図７に示すものに限定されず、種々の構造を採用することができる。
また、第１の紫外線処理装置および第２の紫外線処理装置は、ペリクル付きレチクル（防護保護膜付きフォトマスク）に限定されず、紫外線照射処理が必要とされる種々のものに適用することができる。
【符号の説明】
【００５６】
１０    第１の紫外線処理装置
１１    ランプ室筐体
１２Ａ，１２Ｂ    側壁
１３    隔壁
１５Ａ，１５Ｂ    紫外線透過性窓部材
１７Ａ，１７Ｂ    区隔壁
１９    シャフト駆動源
２１    処理室筐体
２２Ａ，２２Ｃ    端壁
２２Ｂ，２２Ｄ    側壁
２３    蓋部材
２４    貫通孔
２５    載置台
２５Ａ    載置面
２６    載置台固定部材
２７    排気管
２８    処理用雰囲気ガス供給口
２９    排気口
３０    遮光部材
３１    主遮光板部
３２    周壁部
３２Ａ，３２Ｃ    端壁部分
３２Ｂ    側壁部分
３３    パージガス供給口
３４    シャフト
３８    パージガス供給管
３９    管結合部材
４０Ａ，４０Ｂ    紫外線ランプ
５０    遮光部材
５１    主遮光板部
５２    周壁部
５３    パージガス供給口
５５    ガス流制御板
５６    スペーサ
６０    遮光部材
６３    パージガス供給口
７１    筐体
７１Ａ    上壁
７１Ｂ，７１Ｃ    側壁
７３    紫外線透過性窓部材
７４    ガス供給口
７５    ガス流路形成部材
７８    固定板
７９    テンプレート保持機構
８０    紫外線ランプ
Ｗ    被処理物
Ｗａ    被処理面
Ｗｂ    凸部分
Ｗ１    レチクル
Ｗ２    ペリクル
Ｔ１    処理禁止領域
Ｔ２    被処理領域
Ｓ１    処理室
Ｓ２，Ｓ３    ランプ室
Ｓ４    照射距離調整機構収容室
Ｓｐ    パージ空間
【図１】
0006508433.tif 000002
【図２】
0006508433.tif 000003
【図３】
0006508433.tif 000004
【図４】
0006508433.tif 000005
【図５】
0006508433.tif 000006
【図６】
0006508433.tif 000007
【図７】
0006508433.tif 000008
【図８】
0006508433.tif 000009